【手続補正書】
【提出日】平成20年9月1日(2008.9.1)
【手続補正１】
【補正対象書類名】明細書
【補正対象項目名】発明の名称
【補正方法】変更
【補正の内容】
【発明の名称】偏光板、偏光板の製造方法及び液晶表示装置
【手続補正２】
【補正対象書類名】明細書
【補正対象項目名】特許請求の範囲
【補正方法】変更
【補正の内容】
【特許請求の範囲】
【請求項１】  光学的に二軸性を有し、流延製膜時における幅手方向の屈折率が最大となるように調製し、長尺ロールとして作製された面内リターデーション値Ｒ０が３０〜３００ｎｍであり、厚み方向のリターデーション値Ｒｔが３０〜３００ｎｍであるセルロースエステルフィルムと、長尺ロールとして作製され製膜時または製膜後に幅手方向に延伸されたトリアセチルセルロースフィルム、二色性物質を含有する偏光子を有することを特徴とする偏光板。
【請求項２】  前記セルロースエステルフィルムの面内リターデーション値Ｒ０が４０〜１５０ｎｍであり、厚み方向のリターデーション値Ｒｔが６０〜２５０ｎｍであることを特徴とする請求項１に記載の偏光板。
【請求項３】  前記セルロースエステルフィルムが、下記式（１）及び（２）を同時に満足することを特徴とする請求項１または２に記載の偏光板。
式（１）  ２．４≦Ａ＋Ｂ≦２．８
式（２）  １．４≦Ａ≦２．０
〔式中、Ａはアセチル基の置換度、Ｂは炭素原子数３または４のアシル基の置換度を表す。〕
【請求項４】  前記二色性物質の配向方向と前記セルロースエステルフィルムの面内で最大屈折率を与える方向とのなす角度が８０°〜１００°であることを特徴とする請求項１〜３のいずれか１項に記載の偏光板。
【請求項５】  前記偏光子の光透過軸と前記セルロースエステルフィルムの面内で最大屈折率を与える方向とのなす角度が−１０°〜１０°であることを特徴とする請求項１〜３のいずれか１項に記載の偏光板。
【請求項６】  前記セルロースエステルフィルムまたは前記トリアセチルセルロースの延伸倍率が１．０２〜１．２倍となるように延伸されたものであることを特徴とする請求項１〜５のいずれか１項に記載の偏光板。
【請求項７】  前記セルロースエステルフィルムまたは前記トリアセチルセルロースの延伸倍率が１．０５〜１．１５倍となるように延伸されたものであることを特徴とする請求項１〜６のいずれか１項に記載の偏光板。
【請求項８】  請求項１〜７のいずれか１項に記載の偏光板と液晶セルを有する液晶表示装置において、該偏光板のセルロースエステルフィルムが該偏光板の二色性物質を含有する偏光子と該液晶セルとの間に配置されることを特徴とする液晶表示装置。
【請求項９】  前記偏光板の光透過軸と、液晶セルの該偏光板を配置する側のラビング軸または液晶配向軸が直交することを特徴とする請求項８に記載の液晶表示装置。
【請求項１０】  偏光板と液晶セルとの貼合面側に配置される該偏光板のセルロースエステルフィルムの屈折率が最大となる方向と、該偏光板の光透過軸とのなす角が−１０°〜１０°に調整されている事を特徴とする請求項８または９に記載の液晶表示装置。
【請求項１１】 下記（１）〜（３）の工程を経て請求項１〜７のいずれか１項に記載の偏光板を作製したことを特徴とする偏光板の製造方法。
（１）光学的に二軸性を付与する操作を施し、且つ、流延製膜時における幅手方向の屈折率が最大となるように調整したセルロースエステルフィルムの長尺ロールを作製する
（２）二色性物質を含有する偏光子を形成する
（３）該長尺ロールに該偏光子をラミネートする
【手続補正３】
【補正対象書類名】明細書
【補正対象項目名】００１２
【補正方法】変更
【補正の内容】
【００１２】
【課題を解決するための手段】
本発明の上記目的は、下記の構成１〜１１により達成された。
【手続補正４】
【補正対象書類名】明細書
【補正対象項目名】００１３
【補正方法】変更
【補正の内容】
【００１３】
１．光学的に二軸性を有し、流延製膜時における幅手方向の屈折率が最大となるように調製し、長尺ロールとして作製された面内リターデーション値Ｒ０が３０〜３００ｎｍであり、厚み方向のリターデーション値Ｒｔが３０〜３００ｎｍであるセルロースエステルフィルムと、長尺ロールとして作製され製膜時または製膜後に幅手方向に延伸されたトリアセチルセルロースフィルム、二色性物質を含有する偏光子を有することを特徴とする偏光板。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
２．前記セルロースエステルフィルムの面内リターデーション値Ｒ０が４０〜１５０ｎｍであり、厚み方向のリターデーション値Ｒｔが６０〜２５０ｎｍであることを特徴とする前記１に記載の偏光板。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
３．前記セルロースエステルフィルムが、下記式（１）及び（２）を同時に満足することを特徴とする前記１または２に記載の偏光板。
式（１）  ２．４≦Ａ＋Ｂ≦２．８
式（２）  １．４≦Ａ≦２．０
〔式中、Ａはアセチル基の置換度、Ｂは炭素原子数３または４のアシル基の置換度を表す。〕
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
４．前記二色性物質の配向方向と前記セルロースエステルフィルムの面内で最大屈折率を与える方向とのなす角度が８０°〜１００°であることを特徴とする前記１〜３のいずれか１項に記載の偏光板。
【手続補正１１】
【補正対象書類名】明細書
【補正対象項目名】００２０
【補正方法】変更
【補正の内容】
【００２０】
５．前記偏光子の光透過軸と前記セルロースエステルフィルムの面内で最大屈折率を与える方向とのなす角度が−１０°〜１０°であることを特徴とする前記１〜３のいずれか１項に記載の偏光板。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
６．前記セルロースエステルフィルムまたは前記トリアセチルセルロースの延伸倍率が１．０２〜１．２倍となるように延伸されたものであることを特徴とする前記１〜５のいずれか１項に記載の偏光板。
【手続補正１５】
【補正対象書類名】明細書
【補正対象項目名】００２４
【補正方法】変更
【補正の内容】
【００２４】
７．前記セルロースエステルフィルムまたは前記トリアセチルセルロースの延伸倍率が１．０５〜１．１５倍となるように延伸されたものであることを特徴とする前記１〜６のいずれか１項に記載の偏光板。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
８．前記１〜７のいずれか１項に記載の偏光板と液晶セルを有する液晶表示装置において、該偏光板のセルロースエステルフィルムが該偏光板の二色性物質を含有する偏光子と該液晶セルとの間に配置されることを特徴とする液晶表示装置。
【手続補正１８】
【補正対象書類名】明細書
【補正対象項目名】００２７
【補正方法】変更
【補正の内容】
【００２７】
９．前記偏光板の光透過軸と、液晶セルの該偏光板を配置する側のラビング軸または液晶配向軸が直交することを特徴とする前記８に記載の液晶表示装置。
【手続補正１９】
【補正対象書類名】明細書
【補正対象項目名】００２８
【補正方法】変更
【補正の内容】
【００２８】
１０．偏光板と液晶セルとの貼合面側に配置される該偏光板のセルロースエステルフィルムの屈折率が最大となる方向と、該偏光板の光透過軸とのなす角が−１０°〜１０°に調整されている事を特徴とする前記８または９に記載の液晶表示装置。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
１１．下記（１）〜（３）の工程を経て前記１〜７のいずれか１項に記載の偏光板を作製したことを特徴とする偏光板の製造方法。